(57)【特許請求の範囲】
【請求項１】
燃焼量を段階的に増減する複数のボイラを備え、少なくとも一のボイラのいずれかの燃焼位置を一段階移行した場合に増減する差分蒸発量が、他のボイラのいずれかの燃焼位置を一段階移行した場合に増減する差分蒸発量と異なる構成とされたボイラ群を制御するプログラムであって、
前記ボイラ群において燃焼中のボイラの蒸発量を合計した総蒸発量又は前記総蒸発量と対応する物理量が、所定時間維持された場合に、
前記総蒸発量を所定範囲に維持して、前記ボイラ群において燃焼させるボイラ及びその燃焼位置の組み合わせを変更するように構成されていることを特徴とするプログラム。
【請求項２】
燃焼量を段階的に増減する複数のボイラを備え、少なくとも一のボイラが、最大燃焼量、ターンダウン比（最大燃焼量／最小燃焼量）、燃焼位置数の少なくともいずれかに関して、他のボイラと異なる構成とされたボイラ群を制御するプログラムであって、
前記ボイラ群において燃焼中のボイラの蒸発量を合計した総蒸発量又は前記総蒸発量と対応する物理量が、所定時間維持された場合に、
前記総蒸発量を所定範囲に維持して、前記ボイラ群において燃焼させるボイラ及びその燃焼位置の組み合わせを変更するように構成されていることを特徴とするプログラム。
【請求項３】
請求項１又は請求項２に記載のボイラ群を制御するプログラムであって、
前記ボイラ群において燃焼させるボイラ及びその燃焼位置の組み合わせを、予め設定した優位な組み合わせに移行するように構成されていることを特徴とするボイラ群を制御するプログラム。
【請求項４】
請求項３に記載のプログラムであって、
いずれかの前記ボイラ群を構成するボイラが、最下位燃焼位置における燃焼が最上位燃焼位置における燃焼より高効率である場合に、
いずれかの前記最上位燃焼位置にあるボイラを前記最下位燃焼位置に移行するとともに他の停止しているボイラを前記最下位燃焼位置に移行するように構成されていることを特徴とするプログラム。
【請求項５】
請求項３に記載のプログラムであって、
いずれかの前記ボイラ群を構成するボイラが、最上位燃焼位置における燃焼が最下位燃焼位置における燃焼より高効率である場合に、
いずれかの前記最下位燃焼位置にあるボイラを前記最上位燃焼位置に移行するとともに他の前記最下位燃焼位置にあるボイラを停止するように構成されていることを特徴とするプログラム。
【請求項６】
請求項３に記載のプログラムであって、
いずれかの前記ボイラ群を構成するボイラが、最上位燃焼位置と最下位燃焼位置の間にある中位燃焼位置における燃焼が最上位燃焼位置と最下位燃焼位置より高効率である場合に、
最上位燃焼位置にあるボイラと最下位燃焼位置にあるボイラの少なくともいずれかが存在する場合には、これらボイラのいずれかを前記最上位燃焼位置及び前記最下位燃焼位置よりも高効率のいずれかの前記中位燃焼位置に移行するように構成されていることを特徴とするプログラム。
【請求項７】
請求項３に記載のプログラムであって、
いずれかの前記ボイラ群を構成するボイラが、最上位燃焼位置と最下位燃焼位置の間に複数の中位燃焼位置を有し、かついずれかの中位燃焼位置における燃焼効率が前記最上位燃焼位置及び前記最下位燃焼位置よりも高効率である場合に、
前記複数の中位燃焼位置のうちいずれか一の中位燃焼位置から燃焼効率が高効率とされる他の中位燃焼位置に移行するように構成されていることを特徴とするプログラム。
【請求項８】
請求項１から請求項７のいずれか１項に記載のプログラムであって、
前記ボイラ群において燃焼させるボイラ及びその燃焼位置に優先順位を設定し、
前記優先順位に基づき、前記ボイラ群において燃焼させるボイラ及びその燃焼位置の組み合わせを変更するように構成されていることを特徴とするプログラム。
【請求項９】
請求項１から請求項８のいずれか１項に記載のプログラムであって、
前記所定範囲内における前記ボイラ群において燃焼させるボイラ及びその燃焼位置の組み合わせが複数存在する場合に、
前記総蒸発量又は前記総蒸発量と対応する物理量が、設定値を上回って維持されている場合には、前記所定範囲内で前記総蒸発量が小さくなるように前記ボイラ群において燃焼させるボイラ及びその燃焼位置の組み合わせを変更し、
前記総蒸発量又は前記総蒸発量と対応する物理量が、設定値を下回って維持されている場合には、前記所定範囲内で前記総蒸発量が大きくなるように前記ボイラ群において燃焼させるボイラ及びその燃焼位置の組み合わせを変更するように構成されていることを特徴とするプログラム。
【請求項１０】
請求項１から請求項９のいずれか１項に記載のプログラムを備えることを特徴とする制御器。
【請求項１１】
請求項１０に記載の制御器を備えることを特徴とするボイラシステム。
【発明の詳細な説明】
【技術分野】
【０００１】
この発明は、複数のボイラからなるボイラ群を制御するプログラム、制御器及びボイラシステムに関する。
【背景技術】
【０００２】
周知のように、要求負荷に応じてボイラの燃焼量を段階的に増減することで蒸気生成におけるムダな燃焼を抑制するとともにボイラ発停時のロスを削減するための技術として複数のボイラからなるボイラ群により蒸気を生成する技術が用いられている。
かかるボイラ群の制御に関して、各ボイラの燃焼位置数、及び燃焼位置を一段階移行した場合に増減する差分蒸発量が同一（例えば、低燃焼の燃焼量：高燃焼の燃焼量が１：２）である場合のボイラ群の制御技術が開示されている（例えば、特許文献１参照。）。【０００３】
かかるボイラ群の制御において、低燃焼ボイラを高燃焼ボイラに移行する場合に、例えば図９に示すように、低燃焼状態（５００ｋｇ／ｈ）であったＮｏ．４ボイラを燃焼停止するとともに低燃焼状態（６００ｋｇ／ｈ）であったＮｏ．２ボイラを高燃焼状態（１６００ｋｇ／ｈ）に移行する場合がある。
【先行技術文献】
【特許文献】
【０００４】
【特許文献１】特開平１０−２２７４０２号公報
【発明の概要】
【発明が解決しようとする課題】
【０００５】
しかしながら、図９のように、例えば、ボイラ群の中に最大燃焼量が異なるボイラが存在すると、上記のように低燃焼状態（５００ｋｇ／ｈ）であったＮｏ．４ボイラを燃焼停止して低燃焼状態（６００ｋｇ／ｈ）であったＮｏ．２ボイラを高燃焼状態（１６００ｋｇ／ｈ）に移行することでボイラ群としての蒸発量が（３６００ｋｇ／ｈ）から（４１００ｋｇ／ｈ）に増加してボイラ群の総蒸発量が大きく変動して蒸気の供給が不安定になる場合がある。【０００６】
本発明は、このような事情を考慮してなされたもので、ボイラ群を構成している複数のボイラのうち少なくともいずれか一のボイラについて、最大燃焼量、ターンダウン比、燃焼位置数のいずれかが他のボイラと異なり又はターンダウン比が１．０以外である場合に、ボイラ群の燃焼状態（ボイラ群において燃焼させるボイラ及びその燃焼位置の組み合わせ）を変更しても安定した蒸気の供給が可能なボイラ群を制御するプログラム、制御器及びボイラシステムを提供することを目的とする。
【課題を解決するための手段】
【０００７】
上記課題を解決するために、この発明は以下の手段を提案している。
請求項１に記載の発明は、燃焼量を段階的に増減する複数のボイラを備え、少なくとも一のボイラのいずれかの燃焼位置を一段階移行した場合に増減する差分蒸発量が、他のボイラのいずれかの燃焼位置を一段階移行した場合に増減する差分蒸発量と異なる構成とされたボイラ群を制御するプログラムであって、前記ボイラ群において燃焼中のボイラの蒸発量を合計した総蒸発量又は前記総蒸発量と対応する物理量が、所定時間維持された場合に、前記総蒸発量を所定範囲に維持して、前記ボイラ群において燃焼させるボイラ及びその燃焼位置の組み合わせを変更するように構成されていることを特徴とする。【０００８】
請求項１０に記載の発明は、制御器であって、請求項１から請求項８のいずれか１項に記載のプログラムを備えることを特徴とする。【０００９】
請求項１１に記載の発明は、ボイラシステムであって、請求項９に記載の制御器を備えることを特徴とする。【００１１】
この発明に係るプログラム、制御器、ボイラシステムによれば、差分蒸発量が異なるボイラを備えたボイラ群において、ボイラ群の総蒸発量又は前記総蒸発量と対応する物理量が所定時間維持されて定常状態となった場合に、総蒸発量を所定範囲に維持しつつ、例えば、燃焼効率、追従性等を向上させることができる。
【００１２】
この明細書において、差分蒸発量とは、ボイラを一段階上位の燃焼位置に移行した場合に増加する蒸発量、すなわち、移行した後の燃焼位置の蒸発量と移行前の燃焼停止位置（又は燃焼位置）の蒸発量との差をいう。
また、一段階上位に移行して第N燃焼位置（Nは、１以上の整数）となることで増加する蒸発量を、「第N燃焼位置の差分蒸発量」、又は「第N差分蒸発量」といい、例えば、燃焼停止位置から第１燃焼位置に移行した場合に増加する蒸発量を「第１燃焼位置の差分蒸発量」、又は「第１差分蒸発量」と、第１燃焼位置から第２燃焼位置に移行した場合に増加する蒸発量を「第２燃焼位置の差分蒸発量」、又は「第２差分蒸発量」という。【００１３】
請求項２に記載の発明は、燃焼量を段階的に増減する複数のボイラを備え、少なくとも一のボイラが、最大燃焼量、ターンダウン比（最大燃焼量／最小燃焼量）、燃焼位置数の少なくともいずれかに関して、他のボイラと異なる構成とされたボイラ群を制御するプログラムであって、前記ボイラ群において燃焼中のボイラの蒸発量を合計した総蒸発量又は前記総蒸発量と対応する物理量が、所定時間維持された場合に、前記総蒸発量を所定範囲に維持して、前記ボイラ群において燃焼させるボイラ及びその燃焼位置の組み合わせを変更するように構成されていることを特徴とする。【００１５】
この発明に係るプログラムによれば、一のボイラの最大燃焼量、ターンダウン比（最大燃焼量／最小燃焼量）、燃焼位置数の少なくともいずれかが異なるボイラ群において、ボイラ群の総蒸発量又は前記総蒸発量と対応する物理量が所定時間維持されて定常状態となった場合に、総蒸発量を所定範囲に維持しつつ、例えば、燃焼効率、追従性等を向上することができる。
【００１６】
請求項３に記載の発明は、請求項１又は請求項２に記載のプログラムであって、前記ボイラ群において燃焼させるボイラ及びその燃焼位置の組み合わせを、予め設定した優位な燃焼位置に移行するように構成されていることを特徴とする。【００１８】
この発明に係るプログラムによれば、ボイラ群において燃焼させるボイラ及びその燃焼位置の組み合わせを、例えば、燃焼効率、追従性等に関して予め設定した優位とされる燃焼位置に移行するので、ボイラ群の運転状況を要求負荷の変動に対応させて適切に制御することができる。
【００１９】
請求項４に記載の発明は、請求項３に記載のプログラムであって、いずれかの前記ボイラ群を構成するボイラが、最下位燃焼位置における燃焼が最上位燃焼位置における燃焼より高効率である場合に、いずれかの前記最上位燃焼位置にあるボイラを前記最下位燃焼位置に移行するとともに他の停止しているボイラを前記最下位燃焼位置に移行するように構成されていることを特徴とする。【００２１】
この発明に係るプログラムによれば、最下位燃焼位置が最上位燃焼位置よりも燃焼効率が高い場合に、最上位燃焼位置にあるボイラを最下位燃焼位置に移行させてボイラ群の燃焼効率を向上させることができる。
【００２２】
請求項５に記載の発明は、請求項３に記載のプログラムであって、いずれかの前記ボイラ群を構成するボイラが、最上位燃焼位置における燃焼が最下位燃焼位置における燃焼より高効率である場合に、いずれかの前記最下位燃焼位置にあるボイラを前記最上位燃焼位置に移行するとともに他の前記最下位燃焼位置にあるボイラを停止するように構成されていることを特徴とする。【００２４】
この発明に係るプログラムによれば、最上位燃焼位置が最下位燃焼位置よりも燃焼効率が高い場合に、最下位燃焼位置にあるボイラを最上位燃焼位置に移行させてボイラ群の燃焼効率を向上させることができる。
【００２５】
請求項６に記載の発明は、請求項３に記載のプログラムであって、いずれかの前記ボイラ群を構成するボイラが、最上位燃焼位置と最下位燃焼位置の間にある中位燃焼位置における燃焼が最上位燃焼位置と最下位燃焼位置より高効率である場合に、最上位燃焼位置にあるボイラと最下位燃焼位置にあるボイラの少なくともいずれかが存在する場合には、これらボイラのいずれかを前記最上位燃焼位置及び前記最下位燃焼位置よりも高効率のいずれかの前記中位燃焼位置に移行するように構成されていることを特徴とする。【００２７】
この発明に係るプログラムによれば、中位燃焼位置が最上位燃焼位置と最下位燃焼位置よりも燃焼効率が高い場合に、最上位燃焼位置及び最下位燃焼位置にあるボイラのいずれかを高効率とされる中位燃焼位置に移行するので、ボイラ群の燃焼効率を向上させることができる。
【００２８】
請求項７に記載の発明は、請求項３に記載のプログラムであって、いずれかの前記ボイラ群を構成するボイラが、最上位燃焼位置と最下位燃焼位置の間に複数の中位燃焼位置を有し、かついずれかの中位燃焼位置における燃焼効率が前記最上位燃焼位置及び前記最下位燃焼位置よりも高効率である場合に、前記複数の中位燃焼位置のうちいずれか一の中位燃焼位置から燃焼効率が高効率とされる他の中位燃焼位置に移行するように構成されていることを特徴とする。【００３０】
この発明に係るプログラムによれば、いずれかの前記ボイラ群を構成するボイラが、最上位燃焼位置と最下位燃焼位置の間に複数の中位燃焼位置を有し、かついずれかの中位燃焼位置における燃焼効率が前記最上位燃焼位置及び前記最下位燃焼位置よりも高効率である場合に、一の中位燃焼位置から燃焼効率が高効率とされる中位燃焼位置に移行するので、ボイラ群の燃焼効率を向上させることができる。
【００３１】
請求項８に記載の発明は、請求項１から請求項７のいずれか１項に記載のプログラムであって、前記ボイラ群において燃焼させるボイラ及びその燃焼位置に優先順位を設定し、前記優先順位に基づき、前記ボイラ群において燃焼させるボイラ及びその燃焼位置の組み合わせを変更するように構成されていることを特徴とする。【００３３】
この発明に係るプログラムによれば、ボイラ及び燃焼位置に優先順位を設定し、この優先順位に基づいてボイラ群において燃焼させるボイラ及びその燃焼位置の組み合わせを変更するので、ボイラ群の燃焼効率、追従性等を容易かつ効率的に向上させることができる。
【００３４】
請求項９に記載の発明は、請求項１から請求項８のいずれか１項に記載のプログラムであって、前記所定範囲内における前記ボイラ群において燃焼させるボイラ及びその燃焼位置の組み合わせが複数存在する場合に、前記総蒸発量又は前記総蒸発量と対応する物理量が、設定値を上回って維持されている場合には、前記所定範囲内で前記総蒸発量が小さくなるように前記ボイラ群において燃焼させるボイラ及びその燃焼位置の組み合わせを変更し、前記総蒸発量又は前記総蒸発量と対応する物理量が、設定値を下回って維持されている場合には、前記所定範囲内で前記総蒸発量が大きくなるように前記ボイラ群において燃焼させるボイラ及びその燃焼位置の組み合わせを変更するように構成されていることを特徴とする。【００３６】
この発明に係るプログラムによれば、総蒸発量又は総蒸発量と対応する物理量が、設定値を上回っている場合には総蒸発量を所定範囲内で小さくし、設定値を下回って維持されている場合には総蒸発量を所定範囲内で大きくするようにボイラ群において燃焼させるボイラ及びその燃焼位置の組み合わせを変更するので、要求蒸発量と総蒸発量との差を縮小することができる。
【発明の効果】
【００３７】
この発明に係るプログラム、制御器及びボイラシステムによれば、いずれかのボイラが他と差分蒸発量が異なる燃焼位置を有していてターンダウン比が１．０以外であるボイラを備えたボイラ群において安定した蒸気供給を行なうことができる。
【図面の簡単な説明】
【００３８】
【図１】本発明の第１の実施形態に係るボイラシステムの概略構成を示す図である。
【図２】第１の実施形態に係る制御部が備えるデータベース構成の一例を説明する図であり、（Ａ）は低燃焼状態が高効率な場合の例を、（Ｂ）は高燃焼状態が高効率な場合の例を示している。
【図３】本発明のプログラムに係るフロー図の一例を示す図である。
【図４】第１の実施形態に係るボイラシステムの作用を説明する概念図であり、図２（Ａ）のデータベースを用いた場合の例を示す図である。
【図５】第１の実施形態に係るボイラシステムの作用を説明する概念図であり、図２（Ｂ）のデータベースを用いた場合の例を示す図である。
【図６】本発明の第２の実施形態に係るボイラシステムの概略構成を示す図である。
【図７】第２の実施形態に係る制御部が備える中燃焼状態が高効率な場合のデータベース構成の一例を説明する図である。
【図８】第２の実施形態に係るボイラシステムの作用を説明する概念図である。
【図９】従来のボイラシステムの動作を説明する概念図である。
【発明を実施するための形態】
【００３９】
以下、図１から図５を参照し、この発明の第１の実施形態について説明する。
図１は、本発明に係るボイラシステムの第１の実施形態を示す図であり、符号１はボイラシステムを示している。
【００４０】
ボイラシステム１は、複数のボイラから構成されるボイラ群２と、制御部（制御器）４と、スチームヘッダ６と、スチームヘッダ６内の蒸気の圧力（蒸発量と対応する物理量）を検出する圧力センサ７とを備え、ボイラ群２で発生させた蒸気を蒸気使用設備１８に供給するようになっている。
この実施形態において、要求負荷は、蒸気使用設備１８における消費蒸気量と対応する蒸発量であり、前述の圧力センサ７により検出したスチームヘッダ６内の蒸気の圧力に基づいてボイラ群２の蒸発量を制御するようになっている。
【００４１】
ボイラ群２は、例えば、５台の蒸気ボイラから構成され、第１ボイラ２１と、第２ボイラ２２と、第３ボイラ２３と、第４ボイラ２４と、第５ボイラ２５とを備えている。
この実施形態において、第１ボイラ２１、・・・、第５ボイラ２５は、それぞれ燃焼停止状態、低燃焼状態、高燃焼状態の３つ（２以上）の段階的な燃焼状態に制御可能な三位置ボイラとされ、低燃焼状態は第１燃焼位置（最下位燃焼位置）に対応し、高燃焼状態は第２燃焼位置（最上位燃焼位置）と対応した構成とされている。
【００４２】
この実施形態において、各ボイラは、それぞれの燃焼位置において燃焼する場合の蒸発量（生成される蒸気量）が設定されており、各ボイラが第ｊ燃焼位置で燃焼している場合の蒸発量を「第ｊ燃焼位置までの合算蒸発量」と記載し、例えば、ボイラ群２において、各ボイラが第２燃焼位置で燃焼している場合の蒸発量を「定格蒸発量」と記載する場合がある。
【００４３】
また、ｉ（＝１、・・・、５）番目のボイラの第ｊ燃焼位置（ｊ＝１、２）の差分蒸発量をＪ（ｉ、ｊ）と記載し、ｉ番目のボイラにおいて、第ｊ燃焼位置までの差分蒸発量Ｊ（ｉ、ｊ）を合算したものをｉ番目のボイラの第ｊ燃焼位置までの合算蒸発量Ｇ（ｉ、ｊ）と記す。
また、ボイラ群２において燃焼しているボイラの合算蒸発量Ｇ（ｉ、ｊ）の総和、すなわちボイラ群２の総蒸発量をＥで記す場合がある。
【００４４】
また、この実施形態における第１ボイラ２１、・・・、第５ボイラ２５は、ｉ（＝１、・・・、５）と対応しており、例えば、Ｊ（１、１）は第１ボイラ２１の第１燃焼位置の差分蒸発量を、Ｇ（１、２）は第１ボイラ２１における第２燃焼位置までの合算蒸発量、すなわち第１ボイラ２１の定格蒸発量を表している。
【００４５】
この実施形態における第１ボイラ２１から第５ボイラ２５の各燃焼位置の差分蒸発量Ｊ（ｉ、ｊ）及び合算蒸発量Ｇ（ｉ、ｊ）は、以下のとおりである（単位は、例えば、（ｋｇ／ｈ）である。）。下表において、Ｊ（ｉ、１）と記載した項目は、ｉ番目のボイラの第１燃焼位置であることを意味している。
＜ボイラ群２を構成するボイラの各燃焼位置の差分蒸発量及び定格蒸発量＞
Ｊ（ｉ、１）    Ｊ（ｉ、２）    Ｇ（ｉ、２）
第１ボイラ２１     １０００        １０００        ２０００
第２ボイラ２２       ６００        １０００        １６００
第３ボイラ２３       ５００        １３００        １８００
第４ボイラ２４       ５００        １２００        １７００
第５ボイラ２５     １８００        ２０００        ３８００
【００４６】
制御部４は、入力部４１と、メモリ４２と、演算部４３と、ハードディスク４４と、出力部４６と、通信線４７とを備え、入力部４１、メモリ４２、演算部４３、ハードディスク４４、出力部４６は通信線４７により相互にデータ等を通信可能に接続され、ハードディスク４４にはデータベース４５が格納されている。
【００４７】
入力部４１は、例えば、図示しないキーボード等のデータ入力機器を有していて設定等を演算部４３に出力可能とされるとともに、圧力センサ７、各ボイラ２１、・・・、２５と信号線１３、信号線１６により接続され、圧力センサ７から入力された圧力信号及び各ボイラ２１、・・・、２５から入力された信号（例えば、燃焼位置等の情報）を演算部４３に出力するようになっている。
出力部４６は、各ボイラ２１、・・・、２５と信号線１４により接続され、演算部４３から出力された制御信号を各ボイラ２１、・・・、２５に出力するようになっている。
【００４８】
演算部４３は、メモリ４２の記憶媒体（例えば、ＲＯＭ）に格納されたプログラムを読み込んで実行し、要求負荷に対応する蒸発量の算出、ボイラ群２において燃焼させるボイラ及びその燃焼位置の組み合わせの選択を行い、その結果に基づき出力部４６を介して各ボイラ２１、・・・、２５に制御信号を出力するようになっている。
【００４９】
データベース４５は、第１のデータベース４５Ａと、第２のデータベース４５Ｂとを備えている。
第１のデータベース４５Ａは、圧力信号（ｍＶ）と圧力（Ｐａ）との関係を示すデータテーブルが数値データとして格納されており、圧力センサ７からの圧力信号（ｍＶ）に基づいてスチームヘッダ６内の圧力（Ｐａ）が算出されるようになっている。
【００５０】
第２のデータベース４５Ｂは、例えば、図２に示すように、各ボイラ２１、・・・、２５の第１燃焼位置、第２燃焼位置と対応する「各燃焼位置の差分蒸発量」及び「各燃焼位置における燃焼効率η（ｉ、ｊ）」のデータテーブルが数値データとして格納されている。なお、図２に示す燃焼効率η（ｉ、ｊ）は、発明の作用、効果を説明し易くするために、便宜上、実際より低い値としている。
【００５１】
第１の実施形態に係るプログラムは、定常状態検出手段と、燃焼状態変更手段とを備えている。
定常状態検出手段は、ボイラ群２が生成する蒸気によりスチームヘッダ６内の蒸気の圧力が設定圧力の範囲内に所定時間維持されたことを判定するようになっており、燃焼状態変更手段は、ボイラ群２において燃焼させるボイラとその燃焼位置（燃焼停止状態への移行、ボイラの燃焼停止も含まれる。以下、同じ）の組み合わせを選択して各ボイラ２１、・・・、２５に制御信号を出力してボイラ群２の燃焼状態を変更するようになっている。
【００５２】
また、燃焼状態変更手段は、入力部４１から入力される設定信号によって、ボイラ群２において燃焼させるボイラとその燃焼位置の組み合わせが、燃焼効率に関して優位となるように、すなわち燃焼効率が高くなるようにボイラ群２において燃焼させるボイラとその燃焼位置の組み合わせを選択するように構成されている。
【００５３】
次に、図３を参照して、第１の実施形態に係るプログラムについて説明する。
図３は、第１の実施形態に係るボイラ群２の燃焼状態の変更を実行するためのプログラムの一例を示すフロー図である。このフロー図において、定常状態検出手段は、Ｓ３からＳ７及びＳ１１により構成され、燃焼状態変更手段は、Ｓ８からＳ１０により構成されている。
【００５４】
１）まず、スチームヘッダ６において維持するべき圧力範囲（例えば、目標値、上限値、下限値）Ｐ（Ｒ）と、ボイラ群２が出力するべき総蒸発量の範囲（例えば、目標値、上限値、下限値）Ｅ（Ｒ）、ボイラ群２の燃焼状態変更のトリガーに係る圧力範囲Ｐ（Ｒ）を維持するべき設定時間（所定時間）ＴＳを設定する。（Ｓ１）
２）ボイラ群２の運転を開始して、スチームヘッダ６内を維持すべき圧力範囲Ｐ（Ｒ）まで昇圧する。（Ｓ２）
３）ボイラ群２が運転中かどうかを判定する。（Ｓ３）
ボイラ群２が運転中の場合には、Ｓ４に移行し、ボイラ群２が停止されている場合はプログラムの実行を終了する。
４）圧力センサ７の圧力信号を、第１のデータベース４５Ａを参照してスチームヘッダ６内の圧力Ｐに変換する。（Ｓ４）
５）カウンタＣＴＲをカウントアップする。（Ｓ５）
６）圧力Ｐが圧力範囲Ｐ（Ｒ）内であるかどうかを判定する。（Ｓ６）
圧力Ｐが圧力範囲Ｐ（Ｒ）内でない場合にはＳ１１に移行し、カウンタＣＴＲをリセットしてＳ３に移行し、圧力Ｐが圧力範囲Ｐ（Ｒ）内の場合にはＳ７に移行する。
７）カウンタＣＴＲの数値（カウント開始後の経過時間ｔ）が、設定時間ＴＳに到達したかどうかを判定する。（Ｓ７）
カウンタＣＴＲが設定時間ＴＳに到達していない場合にはＳ３に移行し、カウンタＣＴＲが設定時間ＴＳに到達している場合にはＳ８に移行してボイラ群２の燃焼状態を変更する。
８）総蒸発量Ｅが総蒸発量の範囲Ｅ（Ｒ）となるような、ボイラ群２において燃焼させるボイラ及びその燃焼位置の組み合わせを、第２のデータベース４５Ｂを参照して算出（作成）するとともに、その組み合わせにおける燃焼効率を算出する。（Ｓ８）
Ｓ８の実行が終わったら、Ｓ９に移行する。
ボイラ群２において燃焼させるボイラ及びその燃焼位置の組み合わせについては、組み合わせ可能なすべての組み合わせについてその総蒸発量Ｅを算出するとともに、総蒸発量Ｅが総蒸発量の範囲Ｅ（Ｒ）内となるもののリストを作成する。
また、Ｓ８における燃焼効率の算出は、例えば、第２のデータベース４５Ｂに格納されたデータテーブルに基づき、ボイラ群２の燃焼状態を構成するボイラ及びその燃焼位置の差分蒸発量Ｊ（ｉ、ｊ）及び燃焼効率η（ｉ、ｊ）の加重平均により算出されるようになっていて、例えば、以下の数式
ボイラ群２の燃焼効率＝（燃焼している燃焼位置の差分蒸発量の総和）／（（（燃焼している燃焼位置の差分蒸発量）／（その燃焼位置における燃焼効率））の総和）
による。
９）Ｓ８で作成したリストから、ボイラ群２の燃焼状態において優位な組み合わせ（例えば、燃焼効率が最も高い）を選択する。（Ｓ９）
１０）Ｓ９で選択した結果に基づいて、燃焼状態を変更する制御信号を出力する。（Ｓ  １０）燃焼状態を変更する制御信号を出力したらＳ３に移行する。
【００５５】
次に、各ボイラ２１、・・・、２５の燃焼効率が、第１燃焼位置が第２燃焼位置より高効率な場合のボイラシステム１の作用について説明する。なお、便宜のため、ボイラ群２の総蒸発量の範囲Ｅ（Ｒ）が、例えば、下限３５５０（ｋｇ／ｈ）、上限３６５０（ｋｇ／ｈ）とされて、総蒸発量Ｅが３６００（ｋｇ／ｈ）のみとされるものとする。
１）まず、燃焼状態を変更する前のボイラ群２は、図４（Ａ）に示すように、第１ボイラ２１、第２ボイラ２２が高燃焼状態で燃焼していて総蒸発量Ｅが３６００（ｋｇ／ｈ）とされていて、この状態でスチームヘッダ６内の圧力が圧力範囲Ｐ（Ｒ）に所定時間ＴＳ維持されたとする。その結果、演算部４３は、プログラムの燃焼状態変更手段を実行する。
２）演算部４３は、第２のデータベース４５Ｂを参照して、ボイラ群２の総蒸発量Ｅが、総蒸発量の範囲Ｅ（Ｒ）（３５５０（ｋｇ／ｈ）から３６５０（ｋｇ／ｈ））内となるような「ボイラ群２において燃焼させるボイラ及び燃焼位置の組み合わせ」のリストを作成するとともに、その組み合わせにおけるボイラ群２の燃焼効率をリストの組み合わせに対応付けてメモリ４２に一時的に格納する。
このボイラ群２において、総蒸発量Ｅが、総蒸発量の範囲Ｅ（Ｒ）（この場合、３６００（ｋｇ／ｈ））となる組み合わせは、現在の燃焼状態のＷ１１を含めて、
Ｗ１１＝Ｊ（１、１）＋Ｊ（１、２）＋Ｊ（２、１）＋Ｊ（２、２）
Ｗ１２＝Ｊ（１、１）＋Ｊ（１、２）＋Ｊ（２、１）＋Ｊ（３、１）＋Ｊ（４、１）
Ｗ１３＝Ｊ（１、１）＋Ｊ（２、１）＋Ｊ（２、２）＋Ｊ（３、１）＋Ｊ（４、１）
Ｗ１４＝Ｊ（３、１）＋Ｊ（３、２）＋Ｊ（５、１）
の４通りが存在する。（なお、Ｗに付した１１〜１４は、識別のための符号である。）
Ｗ１１、Ｗ１２、Ｗ１３、Ｗ１４、  それぞれの場合の燃焼効率η１１、η１２、η１３、η１４を第２のデータベース４５Ｂのデータテーブル（図２（Ａ））を参照して加重平均により算出する。なお、上記η１１からη１４は、Ｗ１１からＷ１４に対応するボイラ群の燃焼効率を示すものであり、以下に示すη（ｉ、ｊ）は、第２のデータベース４５ＢにおいてＪ（ｉ、ｊ）と対応する燃焼効率を示している。
例えば、Ｗ１１の場合の燃焼効率η１１は、
η１１＝（Ｊ（１、１）＋Ｊ（１、２）＋Ｊ（２、１）＋Ｊ（２、２））  ／  （（（Ｊ（１、１）／η（１、１））＋（Ｊ（１、２）／η（１、２））＋（Ｊ（２、１）／η（２、１））＋（Ｊ（２、２）／η（２、２）））
＝（１０００＋１０００＋６００＋１０００）  ／    （（１０００／０．９５）＋（１０００／０．９２）＋（６００／０．９５）＋（１０００／０．９０））
＝０．９２７３＝９２．７３％である。
同様に、η１２＝９４．８５％、η１３＝９３．５６％、η１４＝９３．１３％となる。
３）次に、演算部４３は、メモリ４２に格納したリストからボイラ群２の燃焼効率が最も高い組み合わせを選択する。ここでは、Ｗ１２を選択する。
４）次いで、演算部４３は、ボイラ群２をＷ１２に係る燃焼状態に移行するために、第２ボイラ２２を高燃焼状態から低燃焼状態に移行するとともに第３ボイラ２３、第４ボイラ２４を燃焼停止状態から低燃焼状態に移行する制御信号を出力部４６を介して各ボイラに出力する。
５）その結果、ボイラ群２の燃焼状態は、図４（Ｂ）のように変更される。また、変更後の総蒸発量Ｅは、燃焼状態変更前と同じ３６００（ｋｇ／ｈ）である。
【００５６】
ボイラシステム１によれば、最下位燃焼位置である第１燃焼位置が、最上位燃焼位置である第２燃焼位置よりも高燃焼効率である場合に、第２燃焼位置にある一部のボイラを第１燃焼位置に移行して低燃焼状態とするとともに、燃焼停止中のボイラを必要に応じて低燃焼状態にすることによりボイラ群２の総蒸発量Ｅを維持しつつボイラ群２の燃焼効率を向上させることができる。
【００５７】
次に、各ボイラ２１、・・・、２５の燃焼効率が、第２燃焼位置が第１の燃焼位置より高効率な場合のボイラシステム１の作用について説明する。なお、ボイラ群２の総蒸発量の範囲Ｅ（Ｒ）は、上述と同様とする。
この場合、各ボイラ２１、・・・、２５の燃焼効率は、図２（Ｂ）に示すように、第２燃焼位置のほうが第１燃焼位置よりも高く設定されている。
１）まず、燃焼状態を変更する前のボイラ群２は、図５（Ａ）に示すように、第１ボイラ２１が高燃焼状態、第２ボイラ２２、第３ボイラ２３、第４ボイラ２４が低燃焼状態で燃焼して総蒸発量Ｅが３６００（ｋｇ／ｈ）とされていて、この状態でスチームヘッダ６内の圧力が圧力範囲Ｐ（Ｒ）に所定時間ＴＳ維持されたとする。その結果、演算部４３は、プログラムの燃焼状態変更手段を実行する。
２）演算部４３は、第２のデータベース４５Ｂを参照して、ボイラ群２の総蒸発量Ｅが、総蒸発量の範囲Ｅ（Ｒ）（３５５０（ｋｇ／ｈ）から３６５０（ｋｇ／ｈ））内となる「ボイラ群２において燃焼させるボイラ及び燃焼位置の組み合わせ」のリストを作成するとともに、その組み合わせにおけるボイラ群２の燃焼効率をリストの組み合わせに対応付けてメモリ４２に一時的に格納する。
このボイラ群２において、総蒸発量Ｅが、総蒸発量の範囲Ｅ（Ｒ）（この場合、３６００（ｋｇ／ｈ））となる組み合わせは、現在の燃焼状態のＷ２２を含めて、
Ｗ２１＝Ｊ（１、１）＋Ｊ（１、２）＋Ｊ（２、１）＋Ｊ（２、２）
Ｗ２２＝Ｊ（１、１）＋Ｊ（１、２）＋Ｊ（２、１）＋Ｊ（３、１）＋Ｊ（４、１）
Ｗ２３＝Ｊ（１、１）＋Ｊ（２、１）＋Ｊ（２、２）＋Ｊ（３、１）＋Ｊ（４、１）
Ｗ２４＝Ｊ（３、１）＋Ｊ（３、２）＋Ｊ（５、１）
の４通りが存在する。
Ｗ２１、Ｗ２２、Ｗ２３、Ｗ２４の場合の燃焼効率η２１、η２２、η２３、η２４を、第２のデータベース４５Ｂのデータテーブル（図２（Ｂ））を参照して算出すると、η２１＝９３．６４％、η２２＝９２．８１％、η２３＝９２．８１％、η２４＝９３．０６％となる。
３）次に、演算部４３は、メモリ４２に格納したリストからボイラ群２の燃焼効率が最も高い組み合わせを選択する。ここでは、Ｗ２１を選択する。
４）次いで、演算部４３は、ボイラ群２をＷ２１に係る燃焼状態に移行するために、第２ボイラ２２を低燃焼状態から高燃焼状態に移行するとともに、第３ボイラ２３、第４ボイラ２４を低燃焼状態から燃焼停止状態に移行する制御信号を出力部４６を介して各ボイラに出力する。
５）その結果、ボイラ群２の燃焼状態は、図５（Ｂ）のように変更される。また、変更後の総蒸発量Ｅは、燃焼状態変更前と同じ３６００（ｋｇ／ｈ）である。
【００５８】
ボイラシステム１によれば、最上位燃焼位置である第２燃焼位置が、最下位燃焼位置である第１燃焼位置よりも高燃焼効率である場合に、第１燃焼位置にあるボイラを第２燃焼位置に移行して高燃焼状態とするとともに、低燃焼状態のボイラを必要に応じて燃焼停止状態にすることによりボイラ群２の総蒸発量Ｅを維持しつつボイラ群２の燃焼効率を向上させることができる。
【００５９】
次にこの発明の第２の実施形態について説明する。
第２の実施形態に係るボイラシステム１Ａがボイラシステム１と異なるのは、ボイラシステム１Ａに係るボイラ群２Ａが３台の蒸気ボイラから構成され、第１ボイラ２６、第２ボイラ２７、第３ボイラ２８を備え、各ボイラ２６、２７、２８は、それぞれ燃焼停止状態（燃焼停止位置）、低燃焼状態に対応する第１燃焼位置（最下位燃焼位置）、中燃焼状態に対応する第２燃焼位置（中位燃焼位置）、高燃焼状態に対応する第３燃焼位置（最上位燃焼位置）の４つの段階的な燃焼状態に制御可能な四位置ボイラとされている点である。
【００６０】
また、第２の実施形態において、各ボイラ２６、２７、２８が第３燃焼位置で燃焼している場合の蒸発量が各ボイラ２６、２７、２８の定格蒸発量である。
なお、第２の実施形態における各ボイラ２６、２７、２８の各燃焼位置の差分蒸発量Ｊ（ｉ、ｊ）及び合算蒸発量Ｇ（ｉ、ｊ）は、以下のとおりであり、各燃焼位置における燃焼効率η（＝η（ｉ、ｊ））は図７に示すとおりである。
＜ボイラ群２Ａを構成するボイラの各燃焼位置の差分蒸発量及び定格蒸発量＞
Ｊ（ｉ、１） Ｊ（ｉ、２） Ｊ（ｉ、３） Ｇ（ｉ、３）
第１ボイラ２６   １０００     １０００     １０００     ３０００
第２ボイラ２７   １０００     １５００     １５００     ４０００
第３ボイラ２８     ５００     １５００     ２０００     ４０００
各ボイラ２６、２７、２８は、それぞれ第２燃焼位置に係る燃焼効率が、低燃焼状態、高燃焼状態における燃焼効率よりも高く設定されている。
その他は、第１の実施形態と同様であるので、第１の実施形態と同様の符号を付し、説明を省略する。
【００６１】
次に、第２の実施形態に係るボイラシステム１Ａの作用について説明する。
なお、第１の実施形態と同様に、便宜のため、ボイラ群２Ａの総蒸発量の範囲Ｅ（Ｒ）は、総蒸発量Ｅが４５００（ｋｇ／ｈ）のみとなるように設定されているものとする。
１）まず、燃焼状態を変更する前のボイラ群２Ａは、図８（Ａ）に示すように、第１ボイラ２６が高燃焼状態、第２ボイラ２７、第３ボイラ２８が低燃焼状態で燃焼して総蒸発量Ｅが４５００（ｋｇ／ｈ）とされていて、この状態でスチームヘッダ６内の圧力が圧力範囲Ｐ（Ｒ）に所定時間ＴＳ維持されたとする。その結果、演算部４３は、プログラムの燃焼状態変更手段を実行する。
２）演算部４３は、第２のデータベース４５Ｂを参照して、ボイラ群２Ａの総蒸発量Ｅが、４５００（ｋｇ／ｈ）となる「ボイラ群２Ａにおいて燃焼させるボイラ及び燃焼位置の組み合わせ」のリストを作成するとともに、その組み合わせにおけるボイラ群２Ａの燃焼効率をリストの組み合わせに対応付けてメモリ４２に一時的に格納する。
このボイラ群２Ａにおいて、総蒸発量Ｅが４５００（ｋｇ／ｈ）となる組み合わせは、現在の燃焼状態のＷ３１を含めて、
Ｗ３１＝Ｊ（１、１）＋Ｊ（１、２）＋Ｊ（１、３）＋Ｊ（２、１）＋Ｊ（３、１）
Ｗ３２＝Ｊ（１、１）＋Ｊ（１、２）＋Ｊ（２、１）＋Ｊ（２、２）
Ｗ３３＝Ｊ（２、１）＋Ｊ（２、２）＋Ｊ（２、３）＋Ｊ（３、１）
Ｗ３４＝Ｊ（２、１）＋Ｊ（２、２）＋Ｊ（３、１）＋Ｊ（３、２）
の4通りが存在する。
Ｗ３１、Ｗ３２、Ｗ３３、Ｗ３４の場合の燃焼効率η３１、η３２、η３３、η３４を、第２のデータベース４５Ｂのデータテーブル（図７）を参照して算出すると、η３１＝８９．２９％、η３２＝９２．７１％、η３３＝８９．２３％、η３４＝９１．００％となる。
３）次に、演算部４３は、メモリ４２に格納したリストからボイラ群２Ａの燃焼効率が最も高い中燃焼状態の組み合わせを選択する。ここでは、Ｗ３２を選択する。
４）次いで、演算部４３は、ボイラ群２ＡをＷ３２に係る燃焼状態に移行するために、第１ボイラ２６を高燃焼状態から中燃焼状態に移行するとともに、第２ボイラ２７を低燃焼状態から中燃焼状態に、第３ボイラ２８を低燃焼状態から燃焼停止状態に移行する制御信号を出力部４６を介して各ボイラ２６、２７、２８に出力する。
５）その結果、ボイラ群２Ａの燃焼状態は、図８（Ｂ）のように変更される。また、変更後の総蒸発量Ｅは、燃焼状態変更前と同じ４５００（ｋｇ／ｈ）である。
【００６２】
ボイラシステム１Ａによれば、各ボイラの中位燃焼位置である第２燃焼位置の燃焼効率が、最上位燃焼位置である第３燃焼位置及び最下位燃焼位置である第１燃焼位置における燃焼効率よりも高効率である場合に、第１燃焼位置及び第３燃焼位置の一部又は全部を第２燃焼位置に移行して中燃焼状態とするのでボイラ群２Ａの総蒸発量Ｅを維持しつつボイラ群２Ａの燃焼効率を向上させることができる。
【００６３】
なお、本発明は、上記実施の形態に限定されるものではなく、発明の趣旨を逸脱しない範囲において、種々の変更をすることが可能である。
例えば、上記実施の形態においては、蒸発量と対応する物理量としてスチームヘッダ６内の蒸気の圧力Ｐを用いて定常状態検出手段が蒸発量が定常状態であるかどうかを判定する場合について説明したが、圧力Ｐに代えて、蒸発量、蒸気使用設備１８における蒸気の使用量等、蒸発量と対応する他の物理量を用いて定常状態を判定してもよい。
【００６４】
また、上記実施の形態においては、第２のデータベース４５Ｂが、ボイラ群２の各ボイラ２１、・・・、２５又はボイラ群２Ａの各ボイラ２６、２７、２８のそれぞれの燃焼位置の差分蒸発量Ｊ（ｉ、ｊ）及び燃焼効率η（ｉ、ｊ）を格納し、総蒸発量の範囲Ｅ（Ｒ）を満足するボイラ及びその燃焼位置の組み合わせのリストをこのデータテーブル４５Ｂから作成し、その際に算出した効率ηから、移行するボイラ群２、２Ａの燃焼状態を選択する構成とされていたが、他の構成のデータベースを用いてもよい。例えば、第２のデータベース４５Ｂに代えて、ボイラ群２、２Ａにおける全てのボイラ及び燃焼位置の組み合わせと、その組み合わせにおける総蒸発量Ｅ、燃焼効率に関するデータテーブルを予め算出して格納し、その中から総蒸発量Ｅを満足する組み合わせを選択し、さらに燃焼効率に基づいて燃焼制御させる組み合わせを選択する構成としてもよい。
【００６５】
また、上記実施の形態においては、ボイラシステム１を構成するボイラ群２が５台の三位置ボイラにより構成され、ボイラシステム１Ａに係るボイラ群２Ａが３台の四位置ボイラにより構成されている場合について説明したが、２台以上の任意の台数のボイラによりボイラ群２、２Ａを構成することが可能であり、例えば、五位置ボイラ、六位置ボイラ又はこれら以上の燃焼位置を有するボイラを対象としてもよい。
【００６６】
また、五位置ボイラ以上の数の燃焼位置を有するボイラでは、複数の中位燃焼位置が設定されることとなるが、これら中位燃焼位置のうちいずれかが、最上位燃焼位置と最下位燃焼位置のいずれか一方又は双方より燃焼効率、追従性等に関して優位であってもよいことはいうまでもない。
また、中位燃焼位置のなかにある複数の燃焼位置のひとつが燃焼効率、追従性等に関して最も優位とされ、別の燃焼位置が次に優位に設定されていて、ボイラ群において燃焼させるボイラ及びその燃焼位置の組み合わせを変更するための燃焼位置の移行が中位燃焼位置の範囲内で行なわれてもよい。
【００６７】
また、ボイラ群を構成するボイラの中に、最上位燃焼位置と最下位燃焼位置の間に複数の中位燃焼位置を有し、かつ中位燃焼位置における燃焼効率が最上位燃焼位置及び最下位燃焼位置よりも高効率である場合に、複数の中位燃焼位置のうちいずれか一の中位燃焼位置から燃焼効率が高効率とされる他の中位燃焼位置に移行するように構成されていてもよい。
この場合、例えば、最上位燃焼位置及び最下位燃焼位置よりも燃焼効率が高効率である中位燃焼位置がひとつ存在してもよいし、複数存在してもよい。
【００６８】
また、最上位燃焼位置及び最下位燃焼位置よりも燃焼効率が高効率とされる中位燃焼位置が複数存在する場合に、移行先とされる中位燃焼位置は、必ずしもそのボイラにおける最高効率の燃焼位置であることは必要とされず、燃焼効率が２番目以降の中位燃焼位置であってもよいし、移行前に燃焼していた中位燃焼位置の燃焼効率が最上位燃焼位置又は最下位燃焼位置の燃焼効率以下であってもよい。また、燃焼位置が移行する場合の移行は、上位への移行、下位への移行のいずれであってもよい。
【００６９】
ボイラ群２を構成する５台のボイラ２１、・・・、２５、又はボイラ群２Ａを構成する３台のボイラ２６、２７、２８のうち一部が、例えば故障、修理等により計画停止されている場合に稼動可能な一部のボイラを対象として燃焼制御してもよい。
【００７０】
また、上記実施の形態においては、ボイラ群２、２Ａを構成するボイラの燃焼位置数が同一である場合について説明したが、ボイラ群２、２Ａを構成するボイラの一部又は全部について燃焼位置数が異なる構成としてもよい。
【００７１】
また、上記実施の形態においては、ボイラ群２の各ボイラ２１、・・・、２５、ボイラ群２Ａの各ボイラ２６、２７，２８がそれぞれ同一の燃焼位置数とされ、ボイラ群２、ボイラ群２Ａが、差分蒸発量が異なる燃焼位置を有することでターンダウン比が１．０以外とされるボイラを少なくとも１台備えている場合について説明したが、ボイラ群が、定格蒸発量、最大燃焼量、ターンダウン比、燃焼位置数の少なくともいずれかが異なるボイラを備えていればよく、又ターンダウン比が１．０以外のボイラを少なくとも１台備えたボイラ群において本発明を適用することができる。
【００７２】
また、例えば、最下位燃焼位置の燃焼効率が最上位燃焼位置の燃焼効率よりも高効率とされるいずれかのボイラを、最上位燃焼位置から最下位燃焼位置に移行させるとともに他の燃焼停止位置にあるボイラを最下位燃焼位置に移行する場合に、燃焼停止位置の範囲に給蒸移行過程を含めてもよく、かかる場合、給蒸移行過程にあるボイラを優先的に選択することがボイラ群の追従性向上に関して好適である。
また、最上位燃焼位置の燃焼効率が最下位燃焼位置の燃焼効率よりも高効率とされるいずれかのボイラを、最下位燃焼位置から最上位燃焼位置に移行させるとともに他の最下位燃焼位置にあるボイラを燃焼停止位置に移行する際に、給蒸移行過程を燃焼停止位置の対象とすることにより、ボイラ群の追従性を向上させてもよい。
ここで、給蒸移行過程とは、燃焼停止位置から第１燃焼位置に到達して給蒸されるまでの間にある状態をいい、以下の第１状態から第５状態に分類される。
第１状態：低燃焼位置にあり、給蒸していないが圧力を保持している状態
第２状態：低燃焼を解除後、パージ又はパイロット燃焼状態となり、給蒸していないが圧力を保持している状態
第３状態：低燃焼を解除して待機状態となり、給蒸していないが圧力を保持している状態
第４状態：燃焼停止位置から低燃焼位置に移行して水を加熱しているが圧力を保持していない状態（無圧状態）
第５状態：パージ又はパイロット燃焼状態であるが圧力を保持していない状態（無圧状態）
なお、第５状態には、第２状態から圧力低下して無圧状態となった場合と、燃焼停止位置においてパージ又はパイロット燃焼状態となり、無圧状態である場合を含む。
また、移行時間を短くして追従性を向上するうえでは、圧力保持状態にある第１状態、第２状態、第３状態が好適であるが、燃焼停止位置に移行させる場合に対象とする状態については、第１状態、第２状態、第３状態、第４状態、第５状態のなかから任意に設定することができる。
また、給蒸移行過程の第５状態については、連続パイロット燃焼状態で無圧状態である場合、連続パイロット燃焼状態とともに第２状態から圧力低下して無圧状態となった場合、燃焼停止位置においてパージ又はパイロット燃焼状態となり無圧状態である場合のなかから任意に設定してもよい。
【００７３】
なお、連続パイロット燃焼状態とは、ガス焚きボイラにおいて、燃焼信号が出力されるとすぐに着火することができるように、未燃ガスが缶内に滞留させないために行なうパイロットバーナの連続燃焼状態をいう。
なお、微風パージとは、油焚きボイラにおいて、燃焼信号が出力されるとすぐに着火することができるように、未燃ガスが缶内に滞留させないために送風機回転数を減少させて微風量で送風状態を維持することをいう。
【００７４】
また、上記実施の形態においては、プログラムが定常状態検出手段と、燃焼状態変更手段とを有し、図３に例示したフロー図に基づく場合について説明したが、このフロー図と異なるフロー図に基づいてプログラムが構成されていてもよいことは当然である。
【００７５】
また、ボイラ群２、２Ａの燃焼状態を変更する場合に、蒸発量の範囲Ｅ（Ｒ）を満足するボイラ及び燃焼位置の組み合わせが複数存在する場合に、定常状態であることを判定した総蒸発量Ｅ、又は圧力等の総蒸発量Ｅと対応する物理量が設定値（例えば、目標値）を上回っている場合は総蒸発量Ｅを小さくし、下回っている場合は総蒸発量Ｅを大きくするように燃焼させるボイラ及びその燃焼位置の組み合わせを変更するようにしてもよい。
その結果、要求蒸発量とボイラ群の総蒸発量Ｅの差を縮小することができる。
【００７６】
また、上記実施の形態においては、ボイラ群２、２Ａを構成しているボイラに関して優先順位が設定されていない場合について説明したが、例えば、ボイラの全部又は一部に対して優先順位を設定し、優先順位により、又は優先順位と組み合わせの優位性の双方によってボイラ群２、２Ａにおいて燃焼させるボイラ及びその燃焼位置を選択する構成としてもよい。
【００７７】
また、例えば、低燃焼状態が高効率のボイラと、高燃焼状態が高効率であるボイラ等が混在するボイラ群において各ボイラに優先順位を設定する場合に、各ボイラの燃焼効率（又は応答性）を考慮して各ボイラをそれぞれ優位な燃焼位置にて燃焼させる構成としてもよい。
【００７８】
また、例えば、いずれかの燃焼位置にあるボイラのうち、所定割合が目標とする燃焼位置に移行する場合の必要時間（タイムラグ等）を自動学習することにより、移行時間を自動設定する構成としてもよい。
【００７９】
また、上記実施の形態においては、本発明に係る制御をプログラムによって行なう場合について説明したが、プログラムによらずオペアンプ等を用いたアナログ制御によって行なってもよいことは当然である。
【００８０】
また、上記実施の形態においては、プログラムを格納するための記憶媒体がＲＯＭである場合について説明したが、ＲＯＭ以外にも、例えば、ＥＰ−ＲＯＭ、ハードディスク、フレキシブルディスク、光ディスク、光磁気ディスク、ＣＤ−ＲＯＭ、ＣＤ−Ｒ、磁気テープ、不揮発性のメモリカードなどを用いてもよい。また、演算部が読出したプログラムを実行することにより上記実施形態の作用が実現されるだけでなく、そのプログラムの指示に基づき、演算部で稼働しているＯＳ（オペレーティングシステム）などが実際の処理の一部または全部を行い、その処理によって上記実施形態の作用が実現される場合も含まれる。さらに、記憶媒体から読出されたプログラムが、演算部に挿入された機能拡張ボードや演算部に接続された機能拡張ユニットに備わるメモリに書込まれた後、そのプログラムの指示に基づき、その機能拡張ボードや機能拡張ユニットに備わるＣＰＵなどが実際の処理の一部または全部を行い、その処理によって前述した実施形態の作用が実現される場合も含まれることはいうまでもない。
【産業上の利用可能性】
【００８１】
ボイラ群において燃焼状態を変更した場合に、安定した蒸気供給を行なうことができるので産業上利用可能である。
【符号の説明】
【００８２】
１、１Ａ  ボイラシステム
２、２Ａ  ボイラ群
２１、２２、２３、２４、２５、２６、２７、２８  ボイラ
【図１】
0005455165.tif 000002
【図２】
0005455165.tif 000003
【図３】
0005455165.tif 000004
【図４】
0005455165.tif 000005
【図５】
0005455165.tif 000006
【図６】
0005455165.tif 000007
【図７】
0005455165.tif 000008
【図８】
0005455165.tif 000009
【図９】
0005455165.tif 000010